(57)【要約】【課題】  コンロに対する取付範囲を拡大するとともに油除けパネルの取付方向を調整することができるコンロ用パネル取付具を提供する。【解決手段】  コンロ用パネル取付具は、第１平面部２５とこれに対向する第２平面部２６とこれらを接続する連結部２７とから構成される係合部材２４と、磁石３２と磁石３２を格納する磁石ホルダ３０と磁石ホルダ３０及び連結部２７の各々を連結する接続部３１とからなる固定部材２９とによって構成されている。油除けパネル１６の平板部２１及び縁巻部２２は係合部材２４に挟着固定され、この状態で固定部材２９はテーブルコンロ１８の側壁１９に吸着固定される。尚、接続部３１の曲げ程度を調整することによって、係合部材２４の固定部材２９に対する位置関係、すなわち、油除けパネル１６の取付け方向を変更することができる。【選択図】      図３
2006071280.tif 000002
【特許請求の範囲】
【請求項１】
シート状のパネルをコンロに取付けるためのコンロ用パネル取付具であって、
前記パネルの端部に挟み込むように係合される係合部材と、
前記コンロへの取付面の位置が前記パネルの面に対して角度を変えて変化するように、前記係合部材に移動自在に接続される固定部材とを備えた、コンロ用パネル取付具。
【請求項２】
前記係合部材は、第１平面部と、これに対向する第２平面部と、これらを連結する連結部とからなる断面コの字状を有し、
前記固定部材は、前記連結部に接続部を介して屈曲自在に接続され、かつ前記第２平面部の側に位置して前記コンロに着脱自在に固定される、請求項１記載のコンロ用パネル取付具。
【請求項３】
前記第２平面部は平面視コの字状を有し、その両端が前記連結部に接続され、
前記固定部材は前記第２平面部の内方のスペースに配置される、請求項２記載のコンロ用パネル取付具。
【請求項４】
前記固定部材は、
直方体形状の磁石と前記磁石を囲う断面コの字状の磁石ホルダとを含み、
前記接続部は、前記磁石ホルダの長手方向の中央部に接続され、かつその前記長手方向の長さは前記磁石ホルダのそれより短い、請求項３記載のコンロ用パネル取付具。
【請求項５】
前記パネルは、平面部と前記平面部の外周に形成された縁巻部とからなり、
前記連結部に接続する部分の前記第１平面部と前記第２平面部との間隔は前記縁巻部を収納できる大きさに設定され、
他の部分の間隔は前記平板部を収納できる大きさに設定される、請求項４記載のコンロ用パネル取付具。
【請求項６】
前記係合部材並びに前記固定部材の前記接続部及び前記磁石ホルダは、一枚の金属シートを打ち抜いてこれを曲げ加工することによって形成される、請求項５記載のコンロ用パネル取付具。
【請求項７】
前記連結部の両端部には一対の切欠が形成される、請求項６記載のコンロ用パネル取付具。
【請求項８】
係合部材は、第１平面部と、これに対向する第２平面部と、これらを連結する連結部とからなる断面コの字状を有し、
前記固定部材は、前記第２平面部の両側において接続部を介して回動自在に接続され、且つ前記第２平面部の側に位置して前記コンロに着脱自在に固定される、請求項１記載のコンロ用パネル取付具。
【請求項９】
前記第１平面部及び前記第２平面部は、１枚の金属シートより加工され、
前記第１平面部は、前記金属シートの内方部分を前記連結部となる一辺を除いて切り抜かれ、前記パネルの断面形状に沿うように曲げ加工される、請求項８記載のコンロ用パネル取付具。
【請求項１０】
前記固定部材は、
磁石と前記磁石を囲う磁石ホルダーとを含み、
前記磁石ホルダーの固定面が前記第２平面部の面に対して直交する面及び平行となる面の各々の位置において保持されるように、前記磁石ホルダーは前記第２平面部に係合する、請求項８又は請求項９記載のコンロ用パネル取付具。
【請求項１１】
前記係合部材は、１本の棒状体の曲げ加工によって形成され、
前記固定部材は、前記係合部材の一部が貫通し、且つ前記一部が移動可能なように前記係合部材に接続され、前記コンロに着脱自在に固定される、請求項１記載のコンロ用パネル取付具。
【請求項１２】
前記係合部材は、
連結部と、
前記連結部の両端から互いにほぼ平行に伸びる一対の係合部と、
前記係合部の各々からやや傾斜し、且つ互いにほぼ平行に伸びる一対の第１垂直部と、
前記第１垂直部の各々から前記係合部側にほぼ直角方向に曲がり、且つ互いにほぼ平行に伸びる一対の第１水平部と、
前記第１水平部の各々から前記第１垂直部に平行な方向で且つ反対側に曲がり、且つ互いにほぼ平行に伸びる一対の第２垂直部と、
前記第２垂直部の各々から前記第１水平部に平行な方向で且つ同一側に曲がり、且つ互いにほぼ平行に伸びる一対の第２水平部と、
前記第２水平部の各々から前記第１垂直部に対向するように前記第１垂直部に平行な方向に曲がり、且つ互いにほぼ平行に伸びる第３垂直部と、
前記第３垂直部の各々から、前記第３垂直部の各々がなす取付面上において外方に向けて曲げられた一対の端部とからなる、請求項１１記載のコンロ用パネル取付具。
【請求項１３】
前記係合体の前記一部は、前記第１水平部及び前記第２垂直部である、請求項１２記載のコンロ用パネル取付具。
【請求項１４】
前記第２垂直部が前記係合体を貫通する状態において、前記固定部材の固定面は前記パネルの面に対して直交するとともに、前記固定面と前記第２水平部とは同一面に整列する、請求項１３記載のコンロ用パネル取付具。
【請求項１５】
前記第１水平部が前記係合体を貫通する状態において、前記固定部材の固定面は前記パネルの面に対して平行となるとともに、前記固定部材は前記係合部材に脱着自在に係合する、請求項１３又は請求項１４記載のコンロ用パネル取付具。
【発明の詳細な説明】
【技術分野】
【０００１】
この発明はコンロ用パネル取付具に関し、特にテーブルコンロの使用時の油はね等から周囲の汚れを防止するための油除けパネルを取付けるためのコンロ用パネル取付具に関するものである。
【背景技術】
【０００２】
実開昭６２−４５８０５号に従来のテーブルコンロ用パネル取付具が開示されている。
【０００３】
これによると、パネル取付具は一枚の金属シートの上方に油除けパネルを差し込むための断面Ｕ字状の係合片が固定され、その下方には磁石を収納するマグネットホルダが固定されている。
【０００４】
そして、テーブルコンロの側面の所望の位置にマグネットホルダを介してパネル取付具を吸着固定させ、これの係合片に油除けパネルを取付けてコンロの周りを囲うようにして使用する。
【０００５】
これによって必要な箇所に油除けパネルを設置できるため、効果的にテーブルコンロの周囲の汚れの付着を防止できる。
【発明の開示】
【発明が解決しようとする課題】
【０００６】
上記のような従来のテーブルコンロ用パネル取付具は、油除けパネルの面に対してマグネットホルダの取付側はそれに直交する方向に固定されているため、テーブルコンロの側面に取付けねばならない。このため、テーブルコンロと周囲の壁面との間のスペースが小さい場合には取付けにくくなる。
【０００７】
又、係合片は金属シートに固定されているため、テーブルコンロの使用状況に応じて例えば油除けパネルを若干傾けたりして使用することができないため、使い勝手が良いとは言えない。
【０００８】
この発明は上記のような課題を解決するためになされたもので、テーブルコンロ等に対する取付範囲を拡大するとともに油除けパネルの取付方向を調整することが容易にできるコンロ用パネル取付具を提供することを目的とする。
【課題を解決するための手段】
【０００９】
上記の目的を達成するために、請求項１記載の発明は、シート状のパネルをコンロに取付けるためのコンロ用パネル取付具であって、パネルの端部に挟み込むように係合される係合部材と、コンロへの取付面の位置がパネルの面に対して角度を変えて変化するように、係合部材に移動自在に接続される固定部材とを備えたものである。
【００１０】
このように構成すると、固定部材による固定対象に対してパネルの取付方向が自在となる。
【００１１】
請求項２記載の発明は、請求項１記載の発明の構成において、係合部材は、第１平面部と、これに対向する第２平面部と、これらを連結する連結部とからなる断面コの字状を有し、固定部材は、連結部に接続部を介して屈曲自在に接続され、かつ第２平面部の側に位置してコンロに着脱自在に固定されるものである。
【００１２】
このように構成すると、固定部材は連結部材に対して屈曲自在となる。
【００１３】
請求項３記載の発明は、請求項２記載の発明の構成において、第２平面部は平面視コの字状を有し、その両端が連結部に接続され、固定部材は第２平面部の内方のスペースに配置されるものである。
【００１４】
このように構成すると、係合部材と固定部材との位置が平面的に一体化する。
【００１５】
請求項４記載の発明は、請求項３記載の発明の構成において、固定部材は直方体形状の磁石と磁石を囲う断面コの字状の磁石ホルダとを含み、接続部は磁石ホルダの長手方向の中央部に接続され、かつその長手方向の長さは磁石ホルダのそれより短いものである。
【００１６】
このように構成すると、接続部における折り曲げに対する抵抗が軽減される。
【００１７】
請求項５記載の発明は、請求項４記載の発明の構成において、パネルは平面部と平面部の外周に形成された縁巻部とからなり、連結部に接続する部分の第１平面部と第２平面部との間隔は縁巻部を収納できる大きさに設定され、他の部分の間隔は平面部を収納できる大きさに設定されるものである。
【００１８】
このように構成すると、係合部材に挟み込まれたパネルの取付状態が安定する。
【００１９】
請求項６記載の発明は、請求項５記載の発明の構成において、係合部材並びに固定部材の接続部及び磁石ホルダは一枚の金属シートを打ち抜いてこれを曲げ加工することによって形成されるものである。
【００２０】
このように構成すると、効率的にパネル取付具が製造でき、かつ第１平面部と第２平面部との間隔の増減が自在となるとともに、初期状態に復帰させるための弾性力が付与される。
【００２１】
請求項７記載の発明は、請求項６記載の発明の構成において、連結部の両端部には一対の切欠が形成されるものである。
【００２２】
このように構成すると、パネル取付具の取付時の移動のためのガイドが切欠に沿って設置できることになる。
【００２３】
請求項８記載の発明は、請求項１記載の発明の構成において、係合部材は、第１平面部とこれに対向する第２平面部と、これらを連結する連結部とからなる断面コの字状を有し、固定部材は、第２平面部の両側において、接続部を介して回動自在に接続され、且つ第２平面部の側に位置してコンロに着脱自在に固定されるものである。
【００２４】
このように構成すると、固定部材は係合部材に対してスムーズに接続位置が変化する。
【００２５】
請求項９記載の発明は、請求項８記載の発明の構成において、第１平面部及び第２平面部は１枚の金属シートより加工され、第１平面部は、金属シートの内方部分を連結部となる一辺を除いて切り抜かれ、パネルの断面形状に沿うように曲げ加工されるものである。
【００２６】
このように構成すると、第１平面部及び第２平面部は、１枚の金属シートを切り抜くことによって形成される。
【００２７】
請求項１０記載の発明は、請求項８又は請求項９記載の発明の構成において、固定部材は、磁石と磁石を囲う磁石ホルダーとを含み、磁石ホルダーの固定面が第２平面部の面に対して直交する面及び平行となる面の各々の位置において保持されるように、磁石ホルダーは第２平面部に係合するものである。
【００２８】
このように構成すると、磁石ホルダーの固定面がパネルに対して直交する面と平行となる面において、磁石ホルダーは第２平面部に係合する。
【００２９】
請求項１１記載の発明は、請求項１記載の発明の構成において、係合部材は、１本の棒状体の曲げ加工によって形成され、固定部材は係合部材の一部が貫通し、且つ一部が移動可能なように係合部材に接続され、コンロに着脱自在に固定されるものである。
【００３０】
このように構成すると、係合部材は棒状体によって形成され、固定部材は係合部材に対する接続位置が変化する。
【００３１】
請求項１２記載の発明は、請求項１１記載の発明の構成において、係合部材は、連結部と、連結部の両端から互いにほぼ平行に伸びる一対の係合部と、係合部の各々からやや傾斜し、且つ互いにほぼ平行に伸びる一対の第１垂直部と、第１垂直部の各々からほぼ直角方向に曲がり、且つ互いにほぼ平行に伸びる一対の第１水平部と、第１水平部の各々から第１垂直部に平行な方向で且つ反対側に曲がり、且つ互いにほぼ平行に伸びる一対の第２垂直部と、第２垂直部の各々から第１水平部に平行な方向で且つ同一側に曲がり、且つ互いにほぼ平行に伸びる一対の第２水平部と、第２水平部の各々から第１垂直部に対向するように第１垂直部に平行な方向に曲がり、且つ互いにほぼ平行に伸びる一対の第３垂直部と、第３垂直部の各々から、第３垂直部の各々がなす取付面上において外方に向けて曲げられた一対の端部とからなるものである。
【００３２】
このように構成すると、係合部材はパネルの断面形状に沿った形状となる。
【００３３】
請求項１３記載の発明は、請求項１２記載の発明の構成において、係合体の一部は、第１水平部及び第２垂直部としたものである。
【００３４】
このように構成すると、係合状態に応じて固定部材の固定面が直交する方向に変化する。
【００３５】
請求項１４記載の発明は、請求項１３記載の発明の構成において、第２垂直部が係合体を貫通する状態において、固定部材の固定面はパネルの面に対して直交するとともに、固定面と第２水平部とは同一面に整列するものである。
【００３６】
このように構成すると、コンロの固定面に対してパネルの面が直交する。
【００３７】
請求項１５記載の発明は、請求項１３又は請求項１４記載の発明の構成において、水平部が係合体を貫通する状態において、固定部材の固定面はパネルの面に対して平行となるとともに、固定部材は係合部材に脱着自在に係合するものである。
【００３８】
このように構成すると、コンロの固定面に対して取付面が平行となるとともにその状態が保持される。
【発明の効果】
【００３９】
以上説明したように、請求項１記載の発明は、固定部材による固定対象に対してパネルの取付方向が自在となるため、固定部材による固定位置の制約が軽減され使い勝手が良い。
【００４０】
請求項２記載の発明は、請求項１記載の発明の効果に加えて、固定部材は連結部材に対して屈曲自在となるため、パネルの取付方向がいずれの位置になってもその状態が安定する。
【００４１】
請求項３記載の発明は、請求項２記載の発明の効果に加えて、係合部材と固定部材との位置が一体化するので、パネル取付具自体の大きさがコンパクトになる。
【００４２】
請求項４記載の発明は、請求項３記載の発明の効果に加えて、接続部における折曲げに対する抵抗が軽減されるため、固定部材の取付方向の調整が容易となる。
【００４３】
請求項５記載の発明は、請求項４記載の発明の効果に加えて、パネルの取付状態が安定するので、パネル取付具の信頼性が向上する。
【００４４】
請求項６記載の発明は、請求項５記載の発明の効果に加えて、第１平面部と第２平面部との開放端に対するパネルの縁巻部の挿入が容易となるとともに挿入完了時のパネルの取付状態が安定する。
【００４５】
請求項７記載の発明は、請求項６記載の発明の効果に加えて、切欠に沿ってガイドを設置できるため、パネルへの取付を自動化する場合に効果的な構造となる。
【００４６】
請求項８記載の発明は、請求項１記載の発明の効果に加えて、固定部材の係合部材に対する接続位置がスムーズに変化するため、取付対象に応じて固定部材の調整が容易となるとともに、接続部の耐久性が向上する。
【００４７】
請求項９記載の発明は、請求項８記載の発明の効果に加えて、第１平面部及び第２平面部は１枚の金属シートの切抜きによって形成されるため、係合部材を効率的に製造することが可能となる。
【００４８】
請求項１０記載の発明は、請求項８又は請求項９記載の発明の効果に加えて、固定部材の２ヶ所の位置における取付状態が安定する。
【００４９】
請求項１１記載の発明は、請求項１記載の発明の効果に加えて、係合部材が効率的に形成されるとともに、固定部材の固定面が容易に変化する。
【００５０】
請求項１２記載の発明は、請求項１１記載の発明の効果に加えて、係合部材はパネルの断面形状に沿った形状となるため、パネルの取付状態が安定する。
【００５１】
請求項１３記載の発明は、請求項１２記載の発明の効果に加えて、固定部材の固定面が効果的に変化するとともに、取付状態が安定する。
【００５２】
請求項１４記載の発明は、請求項１３記載の発明の効果に加えて、コンロの固定面に対してパネルの面が直交するため、パネルはコンロ上において直立する。
【００５３】
請求項１５記載の発明は、請求項１３又は請求項１４記載の発明の効果に加えて、パネルはコンロの側壁に沿って安定した状態で支持されることになる。
【発明を実施するための最良の形態】
【００５４】
図１はこの発明の第１の実施の形態によるテーブルコンロ用のパネル取付具の使用状態を示す図であり、図２は図１のＩＩ−ＩＩラインから見た図である。
【００５５】
これらの図を参照して、取付け対象であるテーブルコンロ１８の左側の側壁１９に油除けパネル１６がパネル取付具１５を介して取付けられている。油除けパネル１６は四角平板形状の平板部２１とこれの外周全周に形成された縁巻部２２とによって構成されている。このようにしてテーブルコンロ１８の使用時における油はね等からの左側の周囲の汚れを、油除けパネル１６によって防止することが可能となる。
【００５６】
図３は図２におけるＩＩＩ−ＩＩＩラインの断面図であり、図４は図３のＩＶ−ＩＶラインの断面図であり、図５は図４のＶ−Ｖラインの断面図であり、図６は図４のＶＩ−ＶＩラインから見た図である。
【００５７】
これらの図を参照して、パネル取付具１５は磁石３２を除き薄い鉄板等の金属シートを打ち抜きこれを曲げ加工することによって形成されている。そして主な構成は油除けパネル１６を着脱自在に固定するための係合部材２４と、パネル取付具１５自体をテーブルコンロ１８の側壁１９等に着脱自在に取付けて固定するための固定部材２９とから構成されている。
【００５８】
係合部材２４は矩形シート形状を有する第１平面部２５と、これに対向する位置に形成される平面視コの字状の第２平面部２６と、第１平面部２５と第２平面部２６とを連結する連結部２７とから構成され、これらは断面コの字状のクリップ形状を有している。尚、第２平面部２６の開放端側の端部は第１平面部２５に対して徐々に離れる方向に反っており、これによって後述するように取付けるべき油除けパネル１６の設置を容易としている。
【００５９】
又、第１平面部２５と第２平面部２６との対向する間隔は、油除けパネル１６の平板部２１を挟みこむ程度の広さとなっており、連結部２７は油除けパネル１６の縁巻部２２をその状態で挟みこむことができるような大きさに形成されている。すなわち、第２平面部２６の連結部２７側の部分は、第１平面部２５に対して徐々にその間隔を広くするように曲げ加工されている。
【００６０】
一方、固定部材２９は係合部材２４の連結部２７から接続され、第２平面部２６と同一方向に伸びる接続部３１と、接続部３１の先端に接続され、直方体形状の磁石３２をその内部に収納することができる断面コの字状の磁石ホルダ３０とから構成されている。又、接続部３１には開口３４が形成されており、その連結部２７に接続する部分の幅Ｌは磁石ホルダ３０長手方向の長さに比べて小さく設定されている。これによって後述するように接続部３１の連結部２７に対する折り曲げを容易としている。
【００６１】
図４に示されているように、第２平面部２６の内方部分は四角形状に開口されているが、この開口を利用して固定部材２９の磁石ホルダ３０及び接続部３１が形成されている。これによって部材の使用としては効率的なパネル取付具となる。
【００６２】
尚、図６に示されているように、連結部２７の両端には切欠３６ａ，切欠３６ｂが形成されている。これらの機能については後述する。
【００６３】
図７はこの発明の第１の実施の形態によるテーブルコンロ用のパネル取付具を使用した状態の他の例を示す図であり、図８は図７のＶＩＩＩ−ＶＩＩＩラインの断面図である。
【００６４】
これらの図を参照して、この例においては取付けるべきテーブルコンロ１８の天板２０の上に油除けパネル１６を取付けたパネル取付具１５が固定されている。すなわち、油除けパネル１６を挟着して固定した係合部材２４の連結部２７に対して、接続部３１を図８に示すように折り曲げて固定部材２９を天板２０に吸着固定している。
【００６５】
このように固定部材２９の取付位置にかかわらず接続部３１の曲げ程度を調整することによって、油除けパネル１６を天板２０に対して鉛直方向に取付けることが可能となる。又、接続部３１の折り曲げ程度を更に調整することによって、図８の二点鎖線で示されているように油除けパネル１６の天板２０に対する取付角度を自在に調整することができる。この二点鎖線のような位置に油除けパネル１６を取付けると、テーブルコンロ１８のガスコンロの上方が広がるため大きな鍋等を用いて料理をするような場合により使い勝手が向上する。
【００６６】
尚、このような状態であっても油除けパネル１６の平板部２１は係合部材２４を構成する第１平面部２５及び第２平面部２６によってしっかりと挟み込まれ、又、油除けパネル１６の縁巻部２２は連結部２７によって安定した状態で固定されることになる。
【００６７】
図９はこの発明の第１の実施の形態によるテーブルコンロ用のパネル取付具を油除けパネルに自動的に取付ける場合の取付工程を示した図である。
【００６８】
図を参照して、図９の（１）に示されているように、取付作業が行なわれる作業台４０の上に三つのパネル取付具１５ａ〜パネル取付具１５ｃがフィーダ４５内に積層されている。フィーダ４５の左側にはパネル取付具１５を取付けるべき油除けパネル１６が配置され、油除けパネル１６とフィーダ４５との間には一対の側面視楔状のガイド４１ａ，ガイド４１ｂが配置されている。
【００６９】
一方、フィーダ４５の右側には、駆動部４３に連結され駆動部４３の駆動によってこの図においては左右方向に移動する可動部材４２が設置されている。
【００７０】
この状態から駆動部４３が駆動され可動部材４２が左方向に移動する。これによって図９の（２）に示されているように、フィーダ４５に積層されているパネル取付具のうち最下層のパネル取付具１５ａが可動部材４２によって左方向に押し出される。すると、パネル取付具１５ａの第１平面部２５及び第２平面部２６の先端の間隔がガイド４１ａ，ガイド４１ｂの先端によって徐々に広げられる。尚、ガイド４１ａ，ガイド４１ｂの左端の高さは、油除けパネル１６の縁巻部２２の直径に対応するような大きさに設定されている。
【００７１】
そして可動部材４２が更に左方向に移動すると、図９の（３）に示されているようにパネル取付具１５ａは更に左側に移動させられ、ガイド４１ａ，ガイド４１ｂによって第１平面部２５及び第２平面部２６の間隔が最大に広げられた状態で、油除けパネル１６の縁巻部２２を挟みこむ状態まで移動する。このため、第１平面部２５及び第２平面部２６の先端で油除けパネル１６の縁巻部２２を押し潰す虞はない。又、この場合Ｘ−Ｘラインからの平面図を示す図１０に示されているように、ガイド４１ａ，ガイド４１ｂはパネル取付具１５ａの左側への移動を阻害することがない。
【００７２】
すなわち、パネル取付具１５ａの連結部２７の両端には、上述のように切欠３６ａ，切欠３６ｂが形成されている。そしてガイド４１ａ，ガイド４１ｂはこの切欠３６ａ，切欠３６ｂの内方端に沿うような位置に配置されている。一方、可動部材４２はガイド４１ａ，ガイド４１ｂの間のスペースを左右方向に移動するように位置が設定されている。したがって、パネル取付具１５ａはガイド４１ａ，ガイド４１ｂにガイドされた状態で、可動部材４２によって油除けパネル１６に対して移動することが可能となる。
【００７３】
そして、更に可動部材４２が左方向に移動してパネル取付具１５ａを完全に左側に移動させると、図９の（４）に示されているように、パネル取付具１５ａは油除けパネル１６の平板部２１及び縁巻部２２に完全に取付けられた状態となる。このとき、可動部材４２の右端部の一部はフィーダ４５に積層されているパネル取付具１５ｂの下方に位置しているため、パネル取付具１５ｂ及びパネル取付具１５ｃの下方への落下を阻止している。
【００７４】
次に、パネル取付具１５ａが取付けられた油除けパネル１６が移動させられ、新たな油除けパネル１６がその位置に転送されてくる。一方、可動部材４２は駆動部４３の駆動によって図においては右側の元の位置へ移動する。これによってパネル取付具１５ｂは作業台４０の上に落下し、図９の（１）のような状態に戻る。そして以後同様の工程によって、新たな油除けパネル１６に対してパネル取付具１５ｂ及びパネル取付具１５ｃを順次取付けていくように処理される。
【００７５】
このように、パネル取付具１５に切欠３６ａ，切欠３６ｂを設けることによって、楔状のガイド４１ａ，ガイド４１ｂを用いたパネル取付具１５の油除けパネル１６に対する取付けの自動化を可能としている。
【００７６】
尚、上記の実施の形態では、１枚の油除けパネルに対して１個のパネル取付具が取付けられているが、複数のパネル取付具を取付ければより取付状態が安定する。
【００７７】
又、上記の実施の形態では、接続部３１に開口３４が形成されているが、これは接続部の曲げを容易にするためのものであり、必ずしも必要なものではない。
【００７８】
更に、上記の実施の形態では、第１平面部２５は平板状をしているが、軽量化を図るために第２平面部２６のように平面視コの字状に形成しても良い。
【００７９】
図１１はこの発明の第２の実施の形態によるパネル取付具の外観形状を示した斜視図である。
【００８０】
図を参照して、パネル取付具１５は、油除けパネルを取付けるための係合部材２４と、係合部材２４に対して脱着自在に取付けられ、テーブルコンロに固定される固定部材２９とから構成されている。係合部材２４はバネ板等の１枚の矩形形状の金属シートを加工することによって形成されている。すなわち、金属シートの中央部分がその一端を除いて切り抜かれ、その切り抜いたものの一部が第１平面部２５を構成し、残った部分が第２平面部２６を構成している。
【００８１】
第１平面部２５はその下部が連結部２７となって第２平面部２６に対して連結され、その下方部分が張り出し部５１となり、更にその上方端の部分が第２平面部２６に対して外方に傾斜するように曲げ加工されている。尚、張り出し部５１は、後述するように係合部材２４によって係合される油除けパネルの下端に形成される縁巻の断面形状に合わせたものである。
【００８２】
一方、第２平面部２６の両側縁は第１平面部２５側に対して反対方向に折り曲げられ、折り曲げ片４７ａ，折り曲げ片４７ｂが形成されている。折り曲げ片４７ａ，折り曲げ片４７ｂには、各々内方側に突出する第１突出部４８及び第２突出部４９が形成されている。第１平面部２５の面と第２平面部２６の面とは所定間隔を有しており、これは後述するように係合部材２４が係合する油除けパネルの断面厚さに対応したものである。
【００８３】
一方、固定部材２９は円盤形状の磁石３２と、磁石３２を格納する磁石ホルダ３０と、係合部材２４に対して回動自在に接続する接続部３１とから構成されている。尚、接続部３１には図示しない開口が形成され、折り曲げ片４７に形成されている第１突出部４８と回動自在に係合している。
【００８４】
又、磁石ホルダ３０の両側壁には一対の開口５０が形成されており、これらは固定部材２９が二点鎖線の位置に移動した際、折り曲げ片４７の各々に形成されている第２突出部４９に係合し、その状態が保持されるように機能する。
【００８５】
図１２は図１で示したパネル取付具の実線で示した状態における使用状態を示した図であり、図１３は図１２で示したＸＩＩＩ−ＸＩＩＩラインから見た図である。
【００８６】
これらの図を参照して、使用に際しては、取付けるべき油除けパネル１６の平板部２１を係合部材２４に対して上方から差込むようにして挿入する。平板部２１の下端部には縁巻部２２が形成されているが、この縁巻部２２によって係合部材２４の第１平面部２５と第２平面部２６との間隔が広がるように変化する。この状態で平板部２１を更に降下させると、縁巻部２２は張り出し部５１に囲われた位置に到達し、連結部２７に当接することによって降下は停止する。これによって、第１平面部２５は元の位置に復帰し、平板部２１を第２平面部２６との間で挟着する状態となる。このようにして平板部２１は係合部材２４に対して安定した状態で保持されることになる。
【００８７】
この取付状態においては固定部材２９の下方の取付面は、係合部材２４の第１平面部２５及び第２平面部２６の面、すなわち油除けパネル１６の面に対して直交する方向に位置している。この状態で固定部材２９は、磁石３２の磁力によって天板２０の上面に吸着固定されることになる。これによって平板部２１は、天板２０の上面に対して直立状態に設置されることになる。尚、固定部材２９は係合部材２４に対して接続部３１において回動自在に接続されているため、その回動状態を変化させることによって平板部２１を矢印の方向に傾斜させた状態に変化させることが可能となる。
【００８８】
図１４は図１１で示したパネル取付具の取付状態の他の例を示した側面図であり、図１５は図１４で示したＸＶ−ＸＶラインから見た図であり、図１６は図１５で示したＸＶＩ−ＸＶＩラインの断面図であり、図１７は図１５で示したＸＶＩＩ−ＸＶＩＩラインの断面図である。
【００８９】
これらの図を参照して、油除けパネル１６の平板部２１の係合部材２４に対する取付状態は図１２で示した取付状態のものと同一である。そして磁石ホルダ３０はその背面が係合部材２４の第２平面部２６に接するように移動した状態となっている。この状態では、磁石ホルダ３０の固定面と第１平面部２５及び第２平面部２６の面とが平行状態となっている。これは、第１平面部２５と第２平面部２６との間で挟着されて保持されている平板部２１の面と、磁石ホルダ３０の固定面とが平行状態となることを意味している。
【００９０】
これによって、磁石ホルダ３０をテーブルコンロ１８の側壁１９に対して吸着固定させることによって、平板部２１をテーブルコンロ１８の上面に対して直交する方向に支持することが可能となる。このようにしてテーブルコンロ１８の上面に係合部材２４を設置するスペースがない場合であっても、平板部２１をテーブルコンロ１８を囲うように自在に取付けることが容易となる。
【００９１】
尚、この状態においては図１６で示しているように、磁石ホルダ３０に形成された開口５０に折り曲げ片４７ａに形成された第２突出部４９が係合している。従って、磁石ホルダ３０の係合部材２４に接した状態が安定し、係合部材２４が磁石ホルダ３０に対して不用意に移動する恐れはない。
【００９２】
このように第２の実施の形態によるパネル取付具にあっては、固定部材２９たる磁石ホルダ３０が係合部材２４に対して回動自在に接続されている。そのため、テーブルコンロ１８の上面及び側面のいずれの面に対しても、容易に且つ確実にパネル取付具１５を取付けることが可能となり、使い勝手が向上する。尚、固定部材２９は、上述のように接続部３１において係合部材２４に対して回動自在に接続されている。その接続態様は図１６で示した断面構造と同一である。従って、固定部材２９は係合部材２４に対して脱着自在となるため、各々の部材を別途制作し、これを組み立てればよいので効率的な製造が可能になる。
【００９３】
尚、上記の第２の実施の形態では、係合部材に設けた突出部と固定部材に設けた開口とによって回動構造を構成しているが、これに代えた回動構造を採用しても良い事は言うまでもない。
【００９４】
又、上記の第２の実施の形態では、第１平面部と第２平面部とを１枚の金属シートの打ち抜きによって形成しているが、これらは別体のものであってもよく、少なくとも油除けパネルを挟み込める断面コの字状の形状を有するものであれば良い。
【００９５】
更に、上記の第２の実施の形態では、固定部材は係合部材に対して脱着構造となっているが、簡単に分離できない構造であっても良い。
【００９６】
図１８はこの発明の第３の実施の形態によるパネル取付具の概略構造を示した斜視図である。
【００９７】
図を参照して、パネル取付具１５は、油除けパネルが取付けられる係合部材２４と、係合部材２４の一部が貫通するようにして係合部材２４に係合し、その固定面が係合部材２４の係合面に対して変化する固定部材２９とから構成されている。
【００９８】
具体的には、係合部材２４はバネ鋼等よりなる１本の金属性棒状体の曲げ加工によって形成されている。すなわち、係合部材２４は曲線状に曲げられた連結部５５と、連結部５５の両端から互いにほぼ平行に伸びる一対の係合部５６ａ，係合部５６ｂと、係合部５６ａ，係合部５６ｂの各々からやや傾斜するように曲がり、且つ互いにほぼ平行に伸びる一対の第１垂直部５７ａ，第１垂直部５７ｂと、第１垂直部５７ａ，第１垂直部５７ｂの各々から係合部５６ａ，係合部５６ｂ側にほぼ直角方向に曲がり、且つほぼ平行に伸びる一対の第１水平部５８ａ，第１水平部５８ｂと、第１水平部５８ａ，第１水平部５８ｂの各々から第１垂直部５７ａ，第１垂直部５７ｂに平行な方向で且つ反対側に曲がり、且つ互いにほぼ平行に伸びる第２垂直部５９ａ，第２垂直部５９ｂと、第２垂直部５９ａ，第２垂直部５９ｂの各々から第１水平部５８ａ，第１水平部５８ｂに平行な方向に曲がり、且つ互いにほぼ平行に伸びる一対の第２水平部６０ａ，第２水平部６０ｂと、第２水平部６０ａ，第２水平部６０ｂの各々から第１垂直部５７ａ，第１垂直部５７ｂに対向するように第１垂直部５７ａ，第１垂直部５７ｂに平行な方向で且つ同一側に曲がり、且つ互いにほぼ平行に伸びる一対の第３垂直部６１ａ，第３垂直部６１ｂと、第３垂直部６１ａ，第３垂直部６１ｂの各々から、これらの各々がなす取付面において外方に向けて曲げられた一対の端部６２ａ，端部６２ｂとから構成されている。
【００９９】
第１垂直部５７ａ，第１垂直部５７ｂのなす面と、第３垂直部６１ａ，第３垂直部６１ｂとがなす面との間の隙間は、係合部材２４に取付けられる油除けパネルの平板部の断面に対応する。第１水平部５８ａ，第１水平部５８ｂ及び第２水平部６０ａ，第２水平部６０ｂとの間で構成される空間は、取付けるべき油除けパネルの縁巻部に対応するものである。
【０１００】
一方、固定部材２９は、円盤形状の磁石３２と、磁石３２を格納する断面コの字状の磁石ホルダ３０とから構成されている。磁石ホルダ３０の係合部材２４側の端部は下方に折り曲げられて折り曲げ部６３を構成している。折り曲げ部６３の折り曲げ位置においては一対の開口６５ａ，開口６５ｂが形成され、折り曲げ部６３の下端部には切欠６６ａ，切欠６６ｂが形成されている。
【０１０１】
そして、係合部材２４の第２垂直部５９ａは開口６５ａを貫通した状態で固定部材２９に係合し、第２水平部６０ａが切欠６６ａから外方に露出している。同様に係合部材２４の第２垂直部５９ｂは開口６５ｂを貫通するように固定部材２９に係合し、第２水平部６０ｂは切欠６６ｂから外方に露出している。
【０１０２】
ここで、開口６５ａ，開口６５ｂの大きさは、係合部材２４を構成する棒状体の径より余裕を持った大きさに設定されている。従って、固定部材２９を、係合部材２４に対する係合位置を開口６５ａ，開口６５ｂを介して第１水平部５８ａ，第１水平部５８ｂに変化させることによって、二点鎖線で示した位置に移動することが可能となる。
【０１０３】
磁石ホルダ３０の上面の一端に形成されている切欠６７ａ，切欠６７ｂは、固定部材２９が二点鎖線の位置に移動した際に係合部材２４の係合部５６ａ，係合部５６ｂに各々が係合して、その位置を保持するために形成されたものである。
【０１０４】
図１９は図１８で示したパネル取付具をテーブルコンロの上面に取付けた状態を示す図である。
【０１０５】
図を参照して、使用に際しては、油除けパネル１６の平板部２１を上方から係合部材２４に対して降下させるようにして取付ける。この時平板部２１の下端に形成されている縁巻部２２によって、第１垂直部５７ａと第３垂直部６１ａとの間は若干広げられるように変化する。そして平板部２１を更に降下させると、縁巻部２２は第２水平部６０ａに当接した状態でその降下は停止する。
【０１０６】
この時縁巻部２２は、第１水平部５８ａ、磁石ホルダ３０の折り曲げ部６３、第２水平部６０ａ及び第３垂直部６１ａによって囲われた空間に位置することになる。この状態になると、第１垂直部５７ａ及び第３垂直部６１ａの間隔は元の状態に復帰して平板部２１をこれらによって挟着する状態に変化する。これによって、平板部２１は係合部材２４によって安定して支持されることになる。
【０１０７】
この時磁石ホルダ３０の取付面は、係合部材２４の第１垂直部５７ａ及び第３垂直部６１ａの各々の取付面に対して直交する方向に位置する。すなわち、磁石ホルダ３０の固定面は平板部２１に対して直交する状態となる。このようにして平板部２１を天板２０に対して直立した状態で設置することが可能となる。尚、この状態で第２水平部６０ａ，第２水平部６０ｂの下面は、磁石ホルダ３０の固定面と同一面に整列されている。従って、磁石ホルダ３０の下面が天板２０に対して吸着固定されている状態にあっては、第２水平部６０ａ，第２水平部６０ｂが不用意に上下に移動することはない。これによって平板部２１の安定した設置が確保される。
【０１０８】
図２０は図１８で示したパネル取付具をテーブルコンロの側壁に取付けた状態を示した図である。
【０１０９】
平板部２１の係合部材２４に対する取付状態は図１９で示した取付状態によるものと同一である。この取付状態にあっては、磁石ホルダ３０と係合部材２４との係合位置が変化している。すなわち、先の使用状態においては磁石ホルダ３０は係合部材２４の第２垂直部５９ａに係合していたが、この使用状態にあっては、磁石ホルダ３０は第１水平部５８ａに係合している。
【０１１０】
これによって磁石ホルダ３０の固定面は、係合部材２４の第１垂直部５７ａ及び第３垂直部６１ａの各々のパネル取付面に平行となる。すなわち、磁石ホルダ３０の固定面と平板部２１の面とが平行状態になることを意味する。このため磁石ホルダ３０をテーブルコンロ１８の側壁１９に吸着固定させることによって、平板部２１はテーブルコンロ１８の上面に対して直交した状態でテーブルコンロ１８を囲うように取付けられることになる。
【０１１１】
尚、この状態にあっては係合部５６ａは磁石ホルダ３０に形成された切欠６７ａと係合する。これによって係合部材２４が磁石ホルダ３０から不用意に離れるように移動することが阻止され、安定した取付け状態が保たれることになる。
【０１１２】
尚、上記の第３の実施の形態では、係合部材は特定形状に折り曲げられているが、これ以外の形状に折り曲げられたものであっても良い。
【０１１３】
又、上記の第３の実施の形態では、テーブルコンロの上面に取付けている状態にあっては、係合部材の第２水平部を固定部材の取付け面に整合させてその状態を保持しているが、これに代えて、他の構造を採用してその取付け状態を保持するようにしても良い。
【０１１４】
更に、上記の第３の実施の形態では、テーブルコンロの側壁に取付けている状態にあっては、磁石ホルダーの切欠を係合部に係合させてその状態を保持しているが、これに代えて、他の構造を採用してその取付け状態を保持するようにしても良い。
【０１１５】
更に、上記の各実施の形態では、本発明のコンロ用パネル取付具をテーブルコンロにテーブルコンロ用パネル取付具として適用しているが、テーブルコンロ以外のガステーブル、ビルトインコンロ、カセットコンロ、電磁調理器等のコンロにも同様に適用できることは言うまでもない。
【０１１６】
更に、上記の各実施の形態では、１枚の油除けパネルに対して１個のコンロ用パネル取付具を取付けているが、複数のコンロ用パネル取付具を取付けて使用しても良い事は言うまでもない。
【図面の簡単な説明】
【０１１７】
【図１】この発明の第１の実施の形態によるテーブルコンロ用パネル取付具の使用状態の一例を示した図である。
【図２】図１のＩＩ−ＩＩラインから見た図である。
【図３】図２のＩＩＩ−ＩＩＩラインの断面図である。
【図４】図３のＩＶ−ＩＶラインから見た図である。
【図５】図４のＶ−Ｖラインの断面図である。
【図６】図４のＶＩ−ＶＩラインから見た図である。
【図７】この発明の第１の実施の形態によるテーブルコンロ用パネル取付具の使用状態の他の例を示す図である。
【図８】図７のＶＩＩＩ−ＶＩＩＩラインの断面図である。
【図９】この発明の第１の実施の形態によるテーブルコンロ用パネル取付具の油除けパネルへの取付工程の概略を示した図である。
【図１０】図９の（３）のＸ−Ｘラインから見た図である。
【図１１】この発明の第２の実施の形態によるパネル取付具の外観形状を示した斜視図である。
【図１２】図１１で示したパネル取付具をテーブルコンロの上面に取付けた状態を示した図である。
【図１３】図１２で示したＸＩＩＩ−ＸＩＩＩラインから見た図である。
【図１４】図１１で示したパネル取付具をテーブルコンロの側面に取付けた状態を示した図である。
【図１５】図１４で示したＸＶ―ＸＶラインから見た図である。
【図１６】図１５で示したＸＶＩ−ＸＶＩラインの断面図である。
【図１７】図１５で示したＸＶＩＩ−ＸＶＩＩラインの断面図である。
【図１８】この発明の第３の実施の形態によるパネル取付具の外観形状を示した斜視図である。
【図１９】図１８で示したパネル取付具をテーブルコンロの上面に取付けた状態を示した図である。
【図２０】図１８で示したパネル取付具をテーブルコンロの側面に取付けた状態を示した図である。
【符号の説明】
【０１１８】
１５…パネル取付具
１６…油除けパネル
１８…テーブルコンロ
２１…平板部
２２…縁巻部
２４…係合部材
２５…第１平面部
２６…第２平面部
２７…連結部
２９…固定部材
３０…磁石ホルダ
３１…接続部
３２…磁石
３６…切欠
５５…連結部
５６…係合部
５７…第１垂直部
５８…第１水平部
５９…第２垂直部
６０…第２水平部
６１…第３垂直部
６２…端部
６３…折り曲げ部
尚、各図中同一符号は同一又は相当部分を示す。
【図１】
2006071280.tif 000003
【図２】
2006071280.tif 000004
【図３】
2006071280.tif 000005
【図４】
2006071280.tif 000006
【図５】
2006071280.tif 000007
【図６】
2006071280.tif 000008
【図７】
2006071280.tif 000009
【図８】
2006071280.tif 000010
【図９】
2006071280.tif 000011
【図１０】
2006071280.tif 000012
【図１１】
2006071280.tif 000013
【図１２】
2006071280.tif 000014
【図１３】
2006071280.tif 000015
【図１４】
2006071280.tif 000016
【図１５】
2006071280.tif 000017
【図１６】
2006071280.tif 000018
【図１７】
2006071280.tif 000019
【図１８】
2006071280.tif 000020
【図１９】
2006071280.tif 000021
【図２０】
2006071280.tif 000022
【手続補正書】
【提出日】平成17年12月20日(2005.12.20)
【手続補正１】
【補正対象書類名】明細書
【補正対象項目名】０００９
【補正方法】変更
【補正の内容】
【０００９】
上記の目的を達成するために、請求項１記載の発明は、シート状のパネルをコンロに取付けるためのコンロ用パネル取付具であって、第１平面部と、これに対向する第２平面部と、これらを連結する連結部とからなる断面コの字状を有し、パネルの端部に挟み込むように係合される係合部材と、コンロへの取付面の位置がパネルの面に対して角度を変えて変化するように、係合部材の第２平面部の両側において接続部を介して回動自在に接続され、且つ第２平面部の側に位置してコンロに着脱自在に固定される固定部材とを備えたものである。
【手続補正２】
【補正対象書類名】明細書
【補正対象項目名】００１０
【補正方法】変更
【補正の内容】
【００１０】
このように構成すると、固定部材による固定対象に対してパネルの取付方向が自在となる。また、固定部材は係合部材に対してスムーズに接続位置が変化する。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】変更
【補正の内容】
【００２５】
請求項２記載の発明は、請求項１記載の発明の構成において、第１平面部及び第２平面部は１枚の金属シートより加工され、第１平面部は、金属シートの内方部分を連結部となる一辺を除いて切り抜かれ、パネルの断面形状に沿うように曲げ加工されるものである。
【手続補正１８】
【補正対象書類名】明細書
【補正対象項目名】００２７
【補正方法】変更
【補正の内容】
【００２７】
請求項３記載の発明は、請求項１又は請求項２記載の発明の構成において、固定部材は、磁石と磁石を囲う磁石ホルダーとを含み、磁石ホルダーの固定面が第２平面部の面に対して直交する面及び平行となる面の各々の位置において保持されるように、磁石ホルダーは第２平面部に係合するものである。
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００３６
【補正方法】削除
【補正の内容】
【手続補正２７】
【補正対象書類名】明細書
【補正対象項目名】００３７
【補正方法】削除
【補正の内容】
【手続補正２８】
【補正対象書類名】明細書
【補正対象項目名】００３８
【補正方法】削除
【補正の内容】
【手続補正２９】
【補正対象書類名】明細書
【補正対象項目名】００３９
【補正方法】変更
【補正の内容】
【００３９】
以上説明したように、請求項１記載の発明は、固定部材による固定対象に対してパネルの取付方向が自在となるため、固定部材による固定位置の制約が軽減され使い勝手が良い。また、固定部材の係合部材に対する接続位置がスムーズに変化するため、取付対象に応じて固定部材の調整が容易となると共に、接続部の耐久性が向上する。
【手続補正３０】
【補正対象書類名】明細書
【補正対象項目名】００４０
【補正方法】削除
【補正の内容】
【手続補正３１】
【補正対象書類名】明細書
【補正対象項目名】００４１
【補正方法】削除
【補正の内容】
【手続補正３２】
【補正対象書類名】明細書
【補正対象項目名】００４２
【補正方法】削除
【補正の内容】
【手続補正３３】
【補正対象書類名】明細書
【補正対象項目名】００４３
【補正方法】削除
【補正の内容】
【手続補正３４】
【補正対象書類名】明細書
【補正対象項目名】００４４
【補正方法】削除
【補正の内容】
【手続補正３５】
【補正対象書類名】明細書
【補正対象項目名】００４５
【補正方法】削除
【補正の内容】
【手続補正３６】
【補正対象書類名】明細書
【補正対象項目名】００４６
【補正方法】削除
【補正の内容】
【手続補正３７】
【補正対象書類名】明細書
【補正対象項目名】００４７
【補正方法】変更
【補正の内容】
【００４７】
請求項２記載の発明は、請求項１記載の発明の効果に加えて、第１平面部及び第２平面部は１枚の金属シートの切抜きによって形成されるため、係合部材を効率的に製造することが可能となる。
【手続補正３８】
【補正対象書類名】明細書
【補正対象項目名】００４８
【補正方法】変更
【補正の内容】
【００４８】
請求項３記載の発明は、請求項１又は請求項２記載の発明の効果に加えて、固定部材の２ヶ所の位置における取付状態が安定する。
【手続補正３９】
【補正対象書類名】明細書
【補正対象項目名】００４９
【補正方法】削除
【補正の内容】
【手続補正４０】
【補正対象書類名】明細書
【補正対象項目名】００５０
【補正方法】削除
【補正の内容】
【手続補正４１】
【補正対象書類名】明細書
【補正対象項目名】００５１
【補正方法】削除
【補正の内容】
【手続補正４２】
【補正対象書類名】明細書
【補正対象項目名】００５２
【補正方法】削除
【補正の内容】
【手続補正４３】
【補正対象書類名】明細書
【補正対象項目名】００５３
【補正方法】削除
【補正の内容】
【手続補正４４】
【補正対象書類名】特許請求の範囲
【補正対象項目名】全文
【補正方法】変更
【補正の内容】
【特許請求の範囲】
【請求項１】
シート状のパネルをコンロに取付けるためのコンロ用パネル取付具であって、
第１平面部と、これに対向する第２平面部と、これらを連結する連結部とからなる断面コの字状を有し、前記パネルの端部に挟み込むように係合される係合部材と、
前記コンロへの取付面の位置が前記パネルの面に対して角度を変えて変化するように、前記係合部材の前記第２平面部の両側において接続部を介して回動自在に接続され、且つ前記第２平面部の側に位置して前記コンロに着脱自在に固定される固定部材とを備えた、コンロ用パネル取付具。
【請求項２】
前記第１平面部及び前記第２平面部は、１枚の金属シートより加工され、
前記第１平面部は、前記金属シートの内方部分を前記連結部となる一辺を除いて切り抜かれ、前記パネルの断面形状に沿うように曲げ加工される、請求項１記載のコンロ用パネル取付具。
【請求項３】
前記固定部材は、
磁石と前記磁石を囲う磁石ホルダーとを含み、
前記磁石ホルダーの固定面が前記第２平面部の面に対して直交する面及び平行となる面の各々の位置において保持されるように、前記磁石ホルダーは前記第２平面部に係合する、請求項２又は請求項３記載のコンロ用パネル取付具。